(57)【要約】      （修正有）【課題】刃物を使用することなく、内容物を放出する開口部を容易に形成することができ、運搬や取り扱い中などに破袋を起こすことがなく、特に粉粒状の農園芸用資材の包装に適した易開封袋を提供する。【解決手段】袋の上部に上端縁２と平行なヒートシール線３を有するプラスチックフィルム袋１において、袋の上端縁２とヒートシール線３の間に線状の切れ目４を設け、線状の切れ目４の上下両方向に、裂け目誘導用の複数個の小孔の列５を形成してなることを特徴とする易開封袋。【選択図】図１
2005193953.tif 000002
【特許請求の範囲】
【請求項１】
袋の上部に上端縁と平行なヒートシール線を有するプラスチックフィルム袋において、袋の上端縁とヒートシール線の間に線状の切れ目を設け、線状の切れ目の上下両方向に、裂け目誘導用の複数個の小孔の列を形成してなることを特徴とする易開封袋。
【請求項２】
線状の切れ目が十文字状の切れ目であって、十文字状の切れ目の縦の切れ目の上下両方向に、裂け目誘導用の複数個の小孔の列を形成してなる請求項１記載の易開封袋。
【請求項３】
線状の切れ目が底部に下向きの縦線状の切れ目を有するＵ字状の切れ目であって、Ｕ字状の切れ目の上端から上方向に２条、Ｕ字状の切れ目の底部から下方向に１条の裂け目誘導用の複数個の小孔の列を形成してなる請求項１記載の易開封袋。
【請求項４】
プラスチックフィルム袋が、粉粒状の農園芸用資材を包装する袋である請求項１、請求項２又は請求項３記載の易開封袋。
【発明の詳細な説明】
【技術分野】
【０００１】
本発明は、易開封袋に関する。さらに詳しくは、本発明は、刃物を使用することなく、内容物を放出する開口部を容易に形成することができ、運搬や取り扱い中などに破袋を起こすことがなく、特に粉粒状の農園芸用資材の包装に適した易開封袋に関する。
【背景技術】
【０００２】
いわゆるポリ袋に代表されるプラスチックフィルム製の包装袋は、製袋機を用いてインフレーションフィルムから効率よく生産することができ、内容物を充填したのち、ヒートシーラー、超音波シーラー、インパルスシーラーなどを用いて簡単に開口部をシールすることができるので、さまざまな大きさのプラスチックフィルム袋が、広範囲の用途に用いられている。プラスチックフィルム袋は、製袋、充填、シールは工業的に高能率で行うことができるが、消費者がプラスチックフィルム袋に充填された商品を購入して、刃物を使わないで開封しようとすると、意外に面倒である。プラスチックフィルムは、ある程度の強度を有し、しかも力を加えると延伸されるので、紙製の袋のように、指先で破って開くことは容易ではない。このために、開封の容易なプラスチックフィルム袋が開発されている。
例えば、立体的な内容物が収納された包装袋であっても大きな開封口が得られ、内容物を容易に取り出すことができる開封容易な包装袋として、図１１に示すような、プラスチックフィルムを主体とする包装袋において、包装袋の表裏両面に、上端縁から下端縁に向かってジッパー形状の切れ目線２０を設け、この切れ目線に沿って開封する開封容易な包装袋が提案されている（特許文献１）。また、最後まで良好に破り開けることのできる易開封袋として、図１２に示すような、対向する２枚のシート材の間に内容物を収容し、少なくとも１つの側端縁の近傍に沿って破り線が存在する易開封袋であって、破り線は多数の半円形切れ目２１を一定間隔で直線状に連ねて構成されており、各半円形切れ目はその両端を側端縁から遠ざかる方向に向けて配置されている易開封袋が提案されている（特許文献２）。
これらの切れ目を設けた易開封袋は、比較的小型で、内容物が化学雑巾や菓子などの軽量品である場合には有効に用いることができるが、袋が大型で、内容物が農園芸用資材などの重量物である場合には、輸送、運搬中などに、袋が切れ目から破れるおそれがあり、適用することができない。大型で、重量物を充填したプラスチックフィルム袋は、開封を容易にする手段を設けず、はさみ、ナイフなどの刃物を用いて開封される場合が多い。しかし、農園芸用資材などを充填した袋は、家屋から離れた農園芸場などで開封する必要があり、袋の開封のために刃物を携行することは煩わしいことである。このために、大型で、重量物を充填したプラスチックフィルム袋であっても、素手で容易に開封して、内容物を放出する開口部を設けることができる易開封袋が求められていた。
【特許文献１】特開平８−２１７０９４号公報（第２頁、図１）
【特許文献２】特開２００１−２２５８５０号公報（第２頁、図６）
【発明の開示】
【発明が解決しようとする課題】
【０００３】
本発明は、刃物を使用することなく、内容物を放出する開口部を容易に形成することができ、運搬や取り扱い中などに破袋を起こすことがなく、特に粉粒状の農園芸用資材の包装に適した易開封袋を提供することを目的としてなされたものである。
【課題を解決するための手段】
【０００４】
本発明者は、上記の課題を解決すべく鋭意研究を重ねた結果、袋の上部に上端縁と平行なヒートシール線を有するプラスチックフィルム袋において、袋の上端縁とヒートシール線の間に線状の切れ目を設け、線状の切れ目の上下両方向に、裂け目誘導用の複数個の小孔の列を形成し、線状の切れ目を手で引っ張ることにより、線状の切れ目から小孔の列づたいに裂け目を生じさせ、内容物を放出するための開口部を形成し得ることを見いだし、この知見に基づいて本発明を完成するに至った。
すなわち、本発明は、
（１）袋の上部に上端縁と平行なヒートシール線を有するプラスチックフィルム袋において、袋の上端縁とヒートシール線の間に線状の切れ目を設け、線状の切れ目の上下両方向に、裂け目誘導用の複数個の小孔の列を形成してなることを特徴とする易開封袋、
（２）線状の切れ目が十文字状の切れ目であって、十文字状の切れ目の縦の切れ目の上下両方向に、裂け目誘導用の複数個の小孔の列を形成してなる(１)記載の易開封袋、
（３）線状の切れ目が底部に下向きの縦線状の切れ目を有するＵ字状の切れ目であって、Ｕ字状の切れ目の上端から上方向に２条、Ｕ字状の切れ目の底部から下方向に１条の裂け目誘導用の複数個の小孔の列を形成してなる(１)記載の易開封袋、及び、
（４）プラスチックフィルム袋が、粉粒状の農園芸用資材を包装する袋である(１)、(２)又は(３)記載の易開封袋、
を提供するものである。
さらに、本発明の好ましい態様として、
（５）プラスチックフィルム袋の折り径が３００〜５５０ｍｍであり、長さが４５０〜８５０ｍｍである(１)、(２)、(３)又は(４)記載の易開封袋、
を挙げることができる。
【発明の効果】
【０００５】
本発明の易開封袋は、大型で、重量物を充填したプラスチックフィルム袋に、刃物を用いることなく、素手で内容物を放出するための開口部を容易に形成することができる。本発明の易開封袋は、家屋から離れた場所で開封する必要のある農園芸用資材を包装する袋として特に好適に用いることができる。
【発明を実施するための最良の形態】
【０００６】
本発明の易開封袋は、袋の上部に上端縁と平行なヒートシール線を有するプラスチックフィルム袋において、袋の上端縁とヒートシール線の間に線状の切れ目を設け、線状の切れ目の上下両方向に、裂け目誘導用の複数個の小孔の列を形成してなる易開封袋である。本発明の易開封袋は、線状の切れ目を手で引っ張ることにより、線状の切れ目から小孔の列づたいに裂け目が生じ、内容物を放出するための開口部が形成されるので、はさみ、ナイフなどの刃物を用いることなく素手で容易に開封することができる。
図１は、本発明の易開封袋の一態様の部分平面図である。本態様の易開封袋は、プラスチックフィルム袋１の上端縁２と平行なヒートシール線３を有し、上端縁とヒートシール線の間に、十文字状の切れ目４が設けられている。十文字状の切れ目の縦の切れ目の上下方向に、裂け目誘導用の複数個の小孔の列５が形成されている。内容物が充填された本態様の易開封袋の十文字状の切れ目の左右を手で持って左右に引っ張ることにより、十文字状の切れ目から裂け目誘導用の複数個の小孔の列づたいに裂け目が生じ、内容物を放出するための開口部が形成される。
本発明の易開封袋は、はさみ、ナイフなどの刃物を用いることなく素手で開封することができるので、特に家屋から離れた農園芸場などで開封する必要のあるプラスチックフィルム袋に好適に適用することができる。
【０００７】
本発明の易開封袋において、袋の上端縁とヒートシール線の間の状態に特に制限はなく、例えば、表裏２枚のフィルムが離れた状態とすることができ、あるいは、表裏２枚のフィルムが溶着した状態とすることもできる。図２は、本発明の易開封袋の他の態様の部分平面図である。本態様の易開封袋は、袋の上端縁２とヒートシール線３の間が溶着されて溶着部６となり、溶着部の中に、一の字形の上下にＶ字形を付した形状を有する十文字状状の切れ目４が打ち抜かれている。本発明において、十文字状の切れ目の形状に特に制限はなく、例えば、図２の下方に示す星形の打ち抜きなどとすることもできる。
本発明の易開封袋において、十文字状の切れ目は一方の切れ目が上端縁に垂直な縦の切れ目であり、他方の切れ目が上端縁に平行な横の切れ目である。本発明の易開封袋において、十文字状の切れ目は、袋の上端縁とヒートシール線の間に存在すればその位置に特に制限はなく、例えば、袋の幅方向の中央部から、袋の幅方向の端部まで、開口部の開始点として適当な任意の位置に設けることができる。
【０００８】
本発明の易開封袋において、裂け目誘導用の複数個の小孔の列の配列に特に制限はなく、内容物の種類及びその放出形態に応じて任意に選ぶことができる。例えば、図３に示すように、袋の上部の一部を切断して内容物を放出する開口部を形成することができ、図４に示すように、袋の上部に湾曲する小孔の列を設け、袋の上部の一部を切り取って開口部を形成することもでき、あるいは、図５に示すように、袋の上端縁から下端縁に達する小孔の列を設け、袋の側端縁全体を開口部とすることもできる。一般に、袋の内容物が一度に使い切ってしまう性質のものであれば、開口部を大きく形成し、袋の内容物が小出しして使われる性質のものであれば、開口部を小さく形成することが好ましい。
本発明の易開封袋の大きさに特に制限はないが、折り径が３００〜５５０ｍｍであり、長さが４５０〜８５０ｍｍであることが好ましく、折り径が３５０〜５００ｍｍであり、長さが５００〜７５０ｍｍであることがより好ましい。折り径が３００ｍｍ未満、長さが４５０ｍｍ未満の袋は、使用されるプラスチックフィルムの厚さが通常は薄く、比較的容易に開封することができるので、本発明の易開封袋を適用する必要性に乏しい。折り径が５５０ｍｍを超え、長さが８５０ｍｍを超える包装については、フレキシブルコンテナーなどの他の形態の包装を考慮することが好ましい。
【０００９】
本発明の易開封袋において、袋の上端縁とヒートシール線の間に設ける線状の切れ目の形状に特に制限はなく、例えば、Ｕ字状、Ｉ字状、Ｖ字状、Ｙ字状などを挙げることができる。図６は、本発明の易開封袋の他の態様の部分平面図である。本態様の易開封袋は、プラスチックフィルム袋１の上端縁２と平行なヒートシール線３を有し、上端縁とヒートシール線の間に、Ｕ字状の切れ目７が設けられている。Ｕ字状の切れ目は、底部に下向きの縦線状の切れ目８を有し、Ｕ字状の切れ目の上端から上方向に２条の裂け目誘導用の複数個の小孔の列５が形成され、Ｕ字状の切れ目の底部から下方向に１条の裂け目誘導用の複数個の小孔の列５が形成されている。内容物が充填された本態様の易開封袋のＵ状の切れ目を手で持って上方向に引っ張ることにより、Ｕ字状の切れ目の上端から上方向に２条の裂け目誘導用の複数個の小孔の列づたいに切り取られ、袋の上部にＵ字形の切り欠きが形成される。次いで、形成されたＵ字形の切り欠きの両側を手で持って左右に引っ張ることにより、Ｕ字状の底部の縦線状の切れ目から、裂け目誘導用の複数個の小孔の列づたいに裂け目が生じ、内容物を放出するための開口部が形成される。
図７は、本発明の易開封袋の他の態様の部分平面図である。本態様の易開封袋は、プラスチックフィルム袋１の上端縁２と平行なヒートシール線３を有し、上端縁とヒートシール線の間に、Ｉ字状の切れ目９が設けられている。Ｉ字状の切れ目の上下方向に、裂け目誘導用の複数個の小孔の列５が形成されている。内容物が充填された本態様の易開封袋のＩ字状の切れ目に２本の指を入れて左右に押し広げることにより、あるいは、Ｉ字状の切れ目の左右を手で持って左右に引っ張ることにより、Ｉ字状の切れ目から裂け目誘導用の複数個の小孔の列づたいに裂け目が生じ、内容物を放出するための開口部が形成される。
【００１０】
図８は、本発明の易開封袋の他の態様の部分平面図である。本態様の易開封袋は、プラスチックフィルム袋１の上端縁２と平行なヒートシール線３を有し、上端縁とヒートシール線の間に、Ｖ字状の切れ目１０が設けられている。Ｖ字状の切れ目の上端から上方向に２条の裂け目誘導用の複数個の小孔の列５が形成され、Ｖ字状の切れ目の底部から下方向に１条の裂け目誘導用の複数個の小孔の列５が形成されている。内容物が充填された本態様の易開封袋のＶ字状の切れ目を手で持って上方向に引っ張ることにより、Ｖ字状の切れ目の上端から上方向に２条の裂け目誘導用の複数個の小孔の列づたいに切り取られ、袋の上部にＶ字形の切り欠きが形成される。次いで、形成されたＶ字形の切り欠きの両側を手で持って左右に引っ張ることにより、Ｖ字状の切れ目の底部から、裂け目誘導用の複数個の小孔の列づたいに裂け目が生じ、内容物を放出するための開口部が形成される。
図９は、本発明の易開封袋の他の態様の部分平面図である。本態様の易開封袋は、プラスチックフィルム袋１の上端縁２と平行なヒートシール線３を有し、上端縁とヒートシール線の間に、Ｙ字状の切れ目１１が設けられている。Ｙ字状の切れ目の上端から上方向に２条の裂け目誘導用の複数個の小孔の列５が形成され、Ｙ字状の切れ目の下端から下方向に１条の裂け目誘導用の複数個の小孔の列５が形成されている。内容物が充填された本態様の易開封袋のＹ字状の切れ目を手で持って上方向に引っ張ることにより、Ｙ字状の切れ目の上端から上方向に２条の裂け目誘導用の複数個の小孔の列づたいに切り取られ、袋の上部にＶ字形の切り欠きが形成される。次いで、形成されたＶ字形の切り欠きの両側を手で持って左右に引っ張ることにより、Ｙ字状の切れ目の下端から、裂け目誘導用の複数個の小孔の列づたいに裂け目が生じ、内容物を放出するための開口部が形成される。
本発明の易開封袋の線状の切れ目について、文字の形状を有する切れ目を例に挙げて説明したが、本発明の易開封袋の線状の切れ目は、線状の切れ目を引っ張ることにより、裂け目誘導用の複数個の小孔の列に裂け目を生じさせることができる限り、任意の形状とすることができる。
【００１１】
本発明の易開封袋のプラスチックフィルムの材質は、ヒートシール性を有するフィルムであれば特に制限はなく、例えば、ポリエチレンフィルム、ポリプロピレンフィルム、ポリカーボネートフィルムなどの単一フィルム、二軸延伸ポリプロピレンフィルム、二軸延伸ポリエチレンテレフタレートフィルム、二軸延伸ポリアミドフィルムなどと、ポリエチレン、ポリプロピレン、エチレン−酢酸ビニル共重合体などの熱溶着性樹脂を積層したラミネートフィルム、さらにアルミニウム蒸着層やエチレン−ビニルアルコール共重合体層などを設けた複合フィルムなどを挙げることができる。本発明の易開封袋の形態に特に制限はなく、例えば、平袋とすることができ、あるいは、ガセット袋とすることもできる。
図１０は、本発明の易開封袋の製造方法の一態様の工程の説明図である。必要に応じて前工程において印刷を施した長尺のチューブ状のフィルム１２を、原反ロール１３よりワンピッチ移動で巻き出し、ヒートシーラー１４により、袋の上部となる位置に、チューブ状のフィルムの長手方向と垂直、すなわち、袋の上端縁と平行な線でヒートシールする。次いで、線状の切れ目を形成する刃１５と、小孔の列を形成する針１６を備えた打抜機１７を用いて、所定の位置に線状の切れ目と小孔の列を形成する。最後に、切断機１８を用いて、長尺のチューブ状のフィルムを所定の位置で機械的に切断、又は、熱的に溶断して、易開封袋１９を完成する。線状の切れ目と小孔の列の形成及び袋の機械的な切断は、一工程で同時に行うこともできる。
【００１２】
本発明の易開封袋を購入した業者は、袋の上端縁となる部分を底にして、袋の下端縁となる部分を開口し、所定の内容物を充填したのち、開口部をヒートシーラー、超音波シーラー、インパルスシーラーなどを用いてシールし、包装された形態の商品を完成する。本発明の易開封袋に充填する内容物に特に制限はないが、粉粒状の農園芸用資材に好適に用いることができる。粉粒状の農園芸用資材としては、例えば、腐葉土、田土、荒木田土、赤玉土、堆肥、川砂、山砂、もみがら燻炭などの土壌類、油かす、魚粉、骨粉、米ぬか、鶏糞、尿素、溶性リン肥、硫酸カリ、苦土石灰、化成肥料などの肥料類、バーク、ピートモス、パーライト、バーミキュライト、セメントなどを挙げることができる。
本発明の易開封袋に充填された商品を購入した消費者は、易開封袋に包装されたままの状態で使用現場まで運び、使用現場において素手で袋の上部に開口部を開き、開口部が開いた袋の上下を逆転して、内容物を放出する。工場内の一定の場所で使用される原材料のようなものであれば、使用場所の近傍に袋を開封するための刃物などを常備することが可能である。しかし、農園芸用資材のように、主として屋外において使用され、しかも使用箇所が一定しない商品の場合は、袋を開封するための道具を常に携行する必要があった。本発明の易開封袋を使用することにより、このような煩わしさから解放され、安全かつ快適に気分よく農園芸作業を進めることができる。
【産業上の利用可能性】
【００１３】
本発明の易開封袋は、刃物を使用することなく、内容物を放出する開口部を容易に形成することができ、輸送、運搬や取り扱い中などに破袋を起こすことがなく、特に粉粒状の農園芸用資材の包装に適している。本発明の易開封袋に包装された商品を使用することにより、玄人、素人の別なく、安全かつ快適に農園芸作業を楽しむことができる。
【図面の簡単な説明】
【００１４】
【図１】本発明の易開封袋の一態様の部分平面図である。
【図２】十文字状の切れ目の他の態様の説明図である。
【図３】小孔の列の一態様の説明図である。
【図４】小孔の列の他の態様の説明図である。
【図５】小孔の列の他の態様の説明図である。
【図６】本発明の易開封袋の他の態様の部分平面図である。
【図７】本発明の易開封袋の他の態様の部分平面図である。
【図８】本発明の易開封袋の他の態様の部分平面図である。
【図９】本発明の易開封袋の他の態様の部分平面図である。
【図１０】本発明の易開封袋の製造方法の一態様の工程の説明図である。
【図１１】従来の易開封袋の一例の平面図である。
【図１２】従来の易開封袋の他の例の部分平面図である。
【符号の説明】
【００１５】
１  プラスチックフィルム袋
２  上端縁
３  ヒートシール線
４  十文字状の切れ目
５  小孔の列
６  溶着部
７  Ｕ字状の切れ目
８  縦線状の切れ目
９  Ｉ字状の切れ目
１０  Ｖ字状の切れ目
１１  Ｙ字状の切れ目
１２  長尺のチューブ状のフィルム
１３  原反ロール
１４  ヒートシーラー
１５  刃
１６  針
１７  打抜機
１８  切断機
１９  易開封袋
２０  ジッパー形状の切れ目線
２１  半円形切れ目
【図１】
2005193953.tif 000003
【図２】
2005193953.tif 000004
【図３】
2005193953.tif 000005
【図４】
2005193953.tif 000006
【図５】
2005193953.tif 000007
【図６】
2005193953.tif 000008
【図７】
2005193953.tif 000009
【図８】
2005193953.tif 000010
【図９】
2005193953.tif 000011
【図１０】
2005193953.tif 000012
【図１１】
2005193953.tif 000013
【図１２】
2005193953.tif 000014